(57)【要約】【課題】支柱への取り付け作業や保守作業の簡略化及びコスト削減できると共に、これらの作業の際に光源収容部の防水状態を維持したままで、支柱への取付作業ができる照明器具を提供する。【解決手段】支柱に固定するための取付部４０と、光源を収容した光源収容部５０とを備えた照明器具３００であって、取付部４０には、その内部に外部接続用端子６０が収容されており、光源収容部５０は、防水構造になっていると共に、その一端部に形成された隔壁８０により取付部４０と仕切られており、取付部４０には、光源収容部５０の防水状態を維持したままで開閉できる作業用の開口部が設けられ、隔壁８０には防水構造の配線用端子部７０が設けられ、光源収容部５０に収容された光源と、取付部６０に収容された外部接続用端子６０とは、隔壁８０に設けられた配線用端子部７０を介して配線されている。【選択図】図３
2017183260.tif 000002
【特許請求の範囲】
【請求項１】
支柱が挿通され該挿通された支柱に固定するためのクランプ部が設けられた取付部と、光源が収容された光源収容部とを備えた照明器具であって、
前記取付部には、その内部に外部接続用端子が収容されており、
前記光源収容部は、防水構造になっていると共に、その一端部に形成された隔壁により前記取付部と仕切られており、
前記取付部には、前記光源収容部の防水状態が維持されたままで開閉できる作業用の開口部が設けられ、
前記隔壁には防水構造の配線用端子部が設けられ、
前記光源収容部に収容された光源と、前記取付部に収容された外部接続用端子とは、前記隔壁に設けられた前記配線用端子部を介して配線されて電気的に接続できるようになっていることを特徴とする照明器具。
【請求項２】
前記配線用端子部からの配線は、前記光源収容部側及び前記取付部側の少なくとも一方が、コネクタを介して行えるようになっていることを特徴とする請求項1記載の照明器具。
【請求項３】
前記取付部には、前記開口部を開閉する蓋体部が設けられていることを特徴とする請求項１又は２に記載の照明器具。
【請求項４】
前記取付部は、前記開口部が上部に形成された本体部と、前記開口部を覆う蓋体部とを有し、
前記蓋体部は、前記光源収容部と一体形成されており、
前記蓋体部と一体形成された光源収容部の下端部が、前記本体部の上端部に蝶番を介して連結されており、該蝶番を軸にして、前記蓋体部が前記光源収容部と共に回転して、前記開口部を開閉できるようになっていることを特徴とする請求項１又は２に記載の照明器具。
【請求項５】
前記光源収容部は、前記取付部に対して脱着自在に取り付けられていることを特徴とする請求項１又は２に記載の照明器具。
【請求項６】
前記取付部の上部側が防雨構造になっていることを特徴とする請求項１から５のいずれかに記載の照明器具。
【請求項７】
前記光源収容部の内部に、前記光源の点灯を制御するドライバユニットが収められ、
前記ドライバユニットは、前記光源及び前記配線用端子部の両者に配線され電気的に接続されていることを特徴とする請求項１から６のいずれかに記載の照明器具。
【請求項８】
前記取付部の内部に、前記光源の点灯を制御するドライバユニットが収められ、
前記ドライバユニットは、前記配線用端子部及び前記外部接続用端子の両者に配線され電気的に接続されていることを特徴とする請求項１から６のいずれかに記載の照明器具。
【請求項９】
前記支柱の内部に、前記光源の点灯を制御するドライバユニットが収められ、
前記ドライバユニットは、前記取付部に収容された前記外部接続用端子に配線され電気的に接続されていることを特徴とする請求項１から６のいずれかに記載の照明器具。
【請求項１０】
前記光源がＬＥＤであることを特徴とする請求項１から９のいずれかに記載の照明器具。
【発明の詳細な説明】
【技術分野】
【０００１】
本発明は、照明器具に関し、例えば、ＬＥＤなどの光源を備えた道路灯などに用いられる照明器具に関する。
【背景技術】
【０００２】
道路を照射する照明器具である道路灯は、一般的に、道路脇に設置された支柱の上端部に取り付けられ、１０ｍ程度の高さから道路に向けて光を照射するようになっている。例えば、交差点などには、複数の道路灯が設置され、複数の道路灯で交差点を照明している。
【０００３】
上記の道路灯（照明器具）については、従来から各種の提案がなされている。
例えば、特許文献１には、上部全体が開口した灯具本体と、灯具本体の開口を覆う蓋体とを備えた照明器具が開示されている。上記の灯具本体は、支柱を通すための開口及び支柱に取り付けるためのクランプ部を有する取付部と、光源を収容する光源収容部とが一体化された構成になっている。また、上記の蓋体は、灯具本体に対して、灯具本体の上部全体を覆うように設けられており、蓋体の全体が、取付部側の端に設けられた蝶番を介して、光源収容部側の先端部から開閉できるように構成されている。そして、照明器具を支柱に取り付ける際には、灯具本体の上部全体を覆う蓋体を、蝶番を利用して大きく開いて取り付け作業や配線作業を行うようになっている。
【０００４】
また、特許文献２には、支柱に取り付けるための取付部と、光源を収容する防水構造の光源収容部とが隔壁で仕切られて一体に形成された照明器具が開示されている。上記の光源収容部は、その上部がカバーで覆われている。また、取付部には、その上部を開閉できる蓋体が設けられている。そして、照明器具を支柱に取り付ける際には、この蓋体を開いて取り付け作業ができるようになっている。
尚、特許文献２に記載の照明器具は、光源収容部を防水構造にするために、光源収容部にある光源と、取付部内にある電源ケーブルを取り付ける端子台とを接続する配線が隔壁を水密に貫通する構造になっている。
【０００５】
【特許文献１】特開２００４−７９２４１号公報
【特許文献２】特許５６９６８０３号公報
【発明の開示】
【発明が解決しようとする課題】
【０００６】
しかしながら、上述した従来技術は以下に示す課題を有している。
特許文献１に記載の照明器具は、支柱に取り付けられる際、蝶番を利用して照明器具全体を覆う大きな寸法の蓋体を開く作業が必要になるが、１０ｍ程度の高さで大きな寸法の蓋体を開く作業が困難であった。具体的には、１０ｍ程度の高さの支柱の先端に道路灯などの照明器具を取り付ける作業は、危険を伴う作業であり、如何に簡単な作業工程で取り付けられるようにするのかが重要な問題になっているが、特許文献１に記載の照明器具は、その構造上、高所で大きな蓋体を開く作業を行う必要があり、取り付け作業が危険を伴う困難なものになっている。
また、特許文献１に記載の照明器具は、蓋体を大きく開いて支柱に取り付けられている際に、照明器具の光源収容部が外気に晒されるため、光源収容部内にゴミが入ったり、雨の日などに雨が入ってしまうことがあり、光源収容部内の透明なガラス板などを曇らせることがあるという課題も有している。尚、照明器具の光源収容部は、光学系が配置されているので、反射鏡、光学レンズ、透明ガラス板などの曇りや異物の混入、さらには雨天時に作業での雨滴の混入などの問題のために、光源収容部は、その中の照明ユニットの修理や交換以外は、防水状態を破らずに、しかも容易に支柱に照明器具を取り付けることが重要な課題になっている。
【０００７】
また、特許文献２に記載の照明器具は、支柱に取り付けられる際に、光源収容部が水密に保たれたまま、取付部上部に設けてある小さな寸法の蓋を開いて取り付け作業を行うことができるという特長があるものの、以下の課題を有している。
特許文献２に記載の照明器具は、光源収容部から取付部内にある端子台への配線を通すために、光源収容部と取付部との間を仕切る隔壁に、光源収容部から取付部へ延出させる配線を水密に貫通させている。具体的には、この照明器具では、隔壁に配線を水密に貫通させるために、隔壁に形成した開口に、ゴムなどのシール部材からなる隔壁パッキンを取り付け、隔壁パッキンに配線を貫通させている。そのため、光源収容部内に収納している複数のＬＥＤ光源を修理などで交換するときや、配線の交換や修理においては、隔壁パッキンを交換する必要があり、その作業の手間とコストがかかっていた。
【０００８】
本発明は、上記の課題を解消するためになされたものであり、支柱への取り付け作業や保守作業の簡略化及びコスト削減できると共に、これらの作業の際に光源収容部の防水状態が維持されたままで、支柱への取付作業ができる照明器具を提供することを目的としている。
【課題を解決するための手段】
【０００９】
上記課題を解決するためになされた本発明は、支柱が挿通され該挿通された支柱に固定するためのクランプ部が設けられた取付部と、光源が収容された光源収容部とを備えた照明器具であって、前記取付部には、その内部に外部接続用端子が収容されており、前記光源収容部は、防水構造になっていると共に、その一端部に形成された隔壁により前記取付部と仕切られており、前記取付部には、前記光源収容部の防水状態が維持されたままで開閉できる作業用の開口部が設けられ、前記隔壁には防水構造の配線用端子部が設けられ、前記光源収容部に収容された光源と、前記取付部に収容された外部接続用端子とは、前記隔壁に設けられた前記配線用端子部を介して配線されて電気的に接続できるようになっていることを特徴とする。
【００１０】
このように、本発明の照明器具は、支柱に取り付けるための取付部と、防水構造の光源収容部とが隔壁により区別され、この隔壁に防水構造の配線用端子部が設けられている。また、本発明の照明器具の取付部に、光源収容部の防水状態が維持されたままで、支柱への取付作業や配線作業等を行うことができる作業用の開口部が設けられている。すなわち、本発明の照明器具は、上述した特許文献１に記載の発明のような照明器具全体を覆う「大きな寸法の蓋体」を設けた構成を採用しておらず、「高所で大きな寸法の蓋体を開く作業」が発生することが無い。そのため、本発明は、特許文献１に記載の発明と比べて、取付作業や保守作業の手間が軽減されると共に、より安全に作業が行える。
また、本発明の構成によれば、光源収容部の防水状態が維持されたままで、支柱への取付作業及び配線作業が行えるため、光源収容部内にゴミが入ったり、雨が入ったりすることがない。
尚、上記の防水構造とは、JIS  C  8105−1「照明器具  第１部：安全性要求事項通則」に規定するIP４４以上の構造のことを云う。これは、道路灯等に用いられる照明器具のうち、ＬＥＤモジュール等の光源や反射板レンズ等が収容される部分に要求されている保護等級の構造であり、塵埃などの侵入により器具光束維持率が低下することを極力小さくしている。
【００１１】
また、本発明の照明器具は、光源収容部に収容された光源と、取付部に収容された外部接続用端子とは、光源収容部の隔壁に設けられた配線用端子部を介して配線されて電気的に接続できるようになっている。すなわち、本発明は、上述した特許文献２に記載の発明のように、光源収容部と取付部とを仕切る隔壁に配線自体を水密に貫通させる構成になっていないため、隔壁に配線を水密に貫通させるためのシール部材（配線用の隔壁パッキン）を設ける必要がない。そのため、本発明の構成によれば、光源収容部内に収納している光源を修理などで交換するときや、配線の交換や修理をするときにおいて、シール部材を交換する必要がなく、特許文献２に記載の発明と比べて、その作業の手間とコストが軽減される。
【００１２】
また、前記配線用端子部からの配線は、前記光源収容部側及び前記取付部側の少なくとも一方が、コネクタを介して行えるようになっていても良い。
このようにコネクタを介して配線できるようにすることで、配線作業の作業効率を向上させることができる。特に、光源収容部側の配線がコネクタを介して行える構成にすることで、光源収容部内の光源を容易に交換することができる。
【００１３】
また、前記取付部には、前記開口部を開閉する蓋体部が設けられていても良い。
【００１４】
また、前記取付部は、前記開口部が上部に形成された本体部と、前記開口部を覆う蓋体部とを有し、前記蓋体部は、前記光源収容部と一体形成されており、前記蓋体部と一体形成された光源収容部の下端部が、前記本体部の上端部に蝶番を介して連結されており、該蝶番を軸にして、前記蓋体部が前記光源収容部と共に回転して、前記開口部を開閉できるようになっていても良い。
【００１５】
また、前記光源収容部は、前記取付部に対して脱着自在に取り付けられているようになっていても良い。
【００１６】
また、前記取付部の上部側が防雨構造になっていても良い。
この構成により、防食性、耐候性、漏電防止に優れた照明器具を提供することができる。また、防雨構造は、防水構造のようにパッキンなどの部品が必要なく、防水構造に比べてコストを抑制できる。
尚、上記の防雨構造とは、JIS  C  8105−1「照明器具  第１部：安全性要求事項通則」に規定するIP2３（従来の防雨形に相当する）以上の構造のことを云い、固物及び水気の侵入より有害な影響が及ぼされないように構成されている。
【００１７】
また、前記光源収容部の内部に、前記光源の点灯を制御するドライバユニットが収められ、前記ドライバユニットは、前記光源及び前記配線用端子部の両者に配線され電気的に接続されていても良い。
また、前記取付部の内部に、前記光源の点灯を制御するドライバユニットが収められ、前記ドライバユニットは、前記配線用端子部及び前記外部接続用端子の両者に配線され電気的に接続されていても良い。
【００１８】
上記の構成によれば、地上から１０ｍ程度の高さの支柱の先端部に取り付けられる照明器具（光源収容部或いは取付部）の内部に、ドライバユニットが収容されるため、洪水や津波などの対する有効な水害対策になる。
【００１９】
また、前記支柱の内部に、前記光源の点灯を制御するドライバユニットが収められ、前記ドライバユニットは、前記取付部に収容された前記外部接続用端子に配線され電気的に接続されていても良い。
この構成によれば、ドライバユニットが照明器具の外部である支柱内に設置されるため、軽量でコンパクトな構成の照明器具を提供できる。尚、光源がＬＥＤである場合は、一般的に、ドライバユニットの方がＬＥＤよりも寿命が短いため、支柱のなかの地上近くに、ドライバユニットを設置するようにすれば、ドライバユニットの修理や交換が容易になる。
【００２０】
また、前記光源がＬＥＤであることが望ましい。
このように、光源にＬＥＤを用いることで、光源が高効率になると共に、低消費電力であると共に高寿命であり、且つ環境負荷の軽減が達成される照明器具が提供される。また、ＬＥＤは、その寸法が小さいので、光学レンズや反射鏡と組み合わせたＬＥＤ照明ユニットにして、そのＬＥＤ照明ユニットの数、その配置と向きの選定により、所望の照度分布や照射方向を持つ照明器具が提供できる。
【発明の効果】
【００２１】
本発明によれば、支柱への取り付け作業や保守作業の簡略化及びコスト削減できると共に、これらの作業の際に光源収容部の防水状態が維持されたままで、支柱への取付作業ができる照明器具を提供することができる。
【図面の簡単な説明】
【００２２】
【図１】本発明の第１実施形態の照明器具を道路灯として実施した一例を示す斜視概略図である。
【図２】本発明の第１実施形態の照明器具を側面から見た概略模式図である。
【図３】本発明の第１実施形態の照明器具の概略模式図であり、（Ａ）が照明器具を下方から見た平面概略模式図であり、（Ｂ）が図３（Ａ）に示すＹ−Ｙ断面での断面概略模式図である。
【図４】本発明の第１実施形態の照明器具を構成する照明ユニットの一例を示す概略模式図であり、（Ａ）が照明ユニットの平面概略模式図であり、（Ｂ）が照明ユニットの断面概略模式図である。
【図５】本発明の第１実施形態の照明器具を構成する照明ユニットを装着した放熱板の一例を示す概略模式図であり、（ａ）が放熱板の平面概略模式図であり、（ｂ）が図５（ａ）に示すＹ−Ｙ断面での断面概略模式図である。
【図６】本発明の第１実施形態の照明器具を構成する配線用端子部とコネクタとの組み合わせの一例を示した概略模式図である。
【図７】本発明の第２実施形態の照明器具を側面から見た概略模式図である。
【図８】本発明の第３実施形態の照明器具を側面から見た概略模式図である。
【図９】本発明の第４実施形態の照明器具を側面から見た概略模式図である。
【図１０】本発明の第５実施形態の照明器具を側面から見た概略模式図である。
【発明を実施するための最良の形態】
【００２３】
以下、本発明の実施形態の照明器具について図面に沿って説明する。
先ず、本発明の第１実施形態の照明器具について図１〜図６を参照しながら説明する。
【００２４】
《第１実施形態》
図１に示すように、第１実施形態の照明器具３００は、道路脇等に設置された支柱７００の上端に取り付けられ、道路等の照射面８００に対して光を照射するように構成されている。
【００２５】
支柱７００は、両端が貫通した中空筒状に形成され、その下方側（地上近く）には、支柱開口部（図示せず）と、この支柱開口部を開閉する支柱開閉パネル７５０が設けられている。また、支柱７００の内部には、照明器具３００に搭載された照明ユニット２００（図３参照）の点灯を制御するドライバユニット４００が収容されている。このドライバユニット４００は、照明器具３００に設けられた外部接続用端子６０（図３参照）と電源ケーブル９２により電気的に接続されるようになっている。また、ドライバユニット４００は、電源部（図示せず）に接続された電源ケーブル（図示せず）に接続され、上記電源部から電力が供給されるようになっている。尚、第1実施形態では、ドライバユニット４００と外部接続用端子６０とを接続する電源ケーブル９２及び上記電源部とドライバユニット４００とを接続する電源ケーブル（図示せず）のいずれも、支柱７００の内部を挿通するように設置されている。
また、ドライバユニット４００は、支柱７００のなかの支柱開閉パネル７５０がある位置に収容されている。この構成により、作業者は、地上近くにある支柱開閉パネル７５０を開いて、ドライバユニット４００の配線作業や点検作業等を行える。
【００２６】
また、照明器具３００は、図２及び図３に示すように、支柱７００に固定するための取付部４０と、光源である照明ユニット２００を収容した防水構造の光源収容部５０とが一体形成された構造になっている。
【００２７】
具体的には、照明器具３００は、平面視で略角丸長方形に形成され且つ上下両端に開口が形成されている中空箱状の本体部（照明器具本体部）３１０と、照明器具３００の内部を前後に仕切る隔壁８０と、隔壁８０により仕切られた本体部３１０の一端側（前方側）の上方の開口を水密に塞ぐ第１蓋体部３２０ａと、隔壁８０により仕切られた本体部３１０の他端側（後方側）の上方の開口を開閉自在に塞ぐ第２蓋体部３３０ａと、本体部３１０に支持され且つ隔壁８０により仕切られた本体部３１０の一端側の下方の開口を水密に塞ぐ透明なガラス板５１０とを備えている。
尚、第１蓋体部３２０ａと本体部３１０とはパッキンを介して取り付け固定され、これにより、光源収容部５０の上方側が防水構造になっている。
【００２８】
また、本体部３１０に支持されたガラス板５１０と、隔壁８０と、第１蓋体部３２０ａとにより、水密に閉鎖された領域（空隙）が形成されるようになっており、この領域に照明ユニット２００等の部品が収容されている。
また、本体部３１０と、隔壁８０と、第２蓋体部３３０とにより、下方が開口した領域（空隙）が形成されるようになっており、この領域に、支柱７００に固定するための円筒状のクランプ４３０と、外部接続用端子６０とが設置されている。
【００２９】
そして、照明器具３００の構成のうち、隔壁８０に仕切られた一端側（前方側）が光源収容部５０を構成し、隔壁８０に仕切られた他端側（後方側）が取付部４０を構成している。
【００３０】
尚、取付部４０は、第２蓋体部３３０ａを取り付けた状態にすると、その内部に雨が進入しない防雨構造（JIS  C  8105−1「照明器具  第１部：安全性要求事項通則」に規定するIP２３（従来の防雨形に相当する）以上の構造）になっている。このような構成を採用したのは以下の理由による。
【００３１】
具体的には、光源収容部５０のように防水構造（JIS  C  8105−1「照明器具  第１部：安全性要求事項通則」に規定するIP４４以上の構造）にするには、パッキンなどを備えた蓋体等を設けて開口を塞ぐ必要があり、部品点数が増加してコストアップを招いてしまう。一方、防雨構造は、防水構造よりも容易な構造であり、天から降る雨に対しての防雨構造なので、必ずしも、パッキン等を設ける必要がない。第１実施形態では、取付部４０の上面の開口を開閉する第２蓋体部３３０ａが、第２蓋体部３３０ａの受部となる本体部３１０の上端部側の側面に対して外側から重なり合う構造（図示せず）になっており、この構造により、第２蓋体部３３０ａにより前記開口を閉じることで、その内部に雨が進入しない防雨構造が提供される。
尚、後述する第２〜第４実施形態において、防雨構造について図中で例示して説明する。
【００３２】
このように、第１実施形態では、取付部４０の上部側を防雨構造としているので、防食性、耐候性、漏電防止に優れた照明器具３００を提供することができる。
以下、照明器具３００の各構成を順次説明する。
【００３３】
先ず、取付部４０と光源収容部５０とを仕切る隔壁８０について説明する。
隔壁８０は、光源収容部５０の後方側面部として構成されている。
具体的には、隔壁８０は、第１蓋体部３２０ａの内側・上面部から、第１蓋体部３２０ａの下端部まで延びる板状に形成されている。また、隔壁８０は、その上端面が第１蓋隊部３２０の内側・上面部に沿った形状に形成され、第１蓋隊部３２０の内側・上面部に密着している。また、隔壁８０は、その側面が第１蓋隊部３２０の内側・側面部に沿った形状に形成され、第１蓋体部３２０の内側・側面部に密着している。
また、隔壁８０には、防水構造の配線用端子部７０が設けられており、この配線用端子部７０を介して、光源収容部５０と取付部４０とが電気的に配線されている。具体的には、配線用端子部７０は、その一端部が光源収容部５０の内部の領域に配置され、他端部が取付部４０の内部の領域に配置されている。この配線用端子部７０は、一端部及び他端部のそれぞれに、接続端子が設けられ、一端部の接続端子と、他端部の接続端子とが電気的に接続されている。尚、隔壁８０及び配線用端子部７０は、例えば、パッキン５２０（図６参照）を用いて、隔壁８０との間を防水構造にしたり、インサート成形により一体的に形成させるなどして、光源収容部５０の内部の防水構造が維持されている。
【００３４】
次に第１蓋体部３２０ａについて説明する。
第１蓋体部３２０ａは、略椀形状に形成されており、その内側・上面部から複数の略柱状の支持部３２１が立設し（図３（ｂ）参照）、この支持部３２１の先端部に、略平板状の放熱板ベース３０が取り付けられている。また、放熱板ベース３０には、複数の放熱板（曲がり角度放熱板）３１が取り付けられ、各放熱板３１には、それぞれ、照明ユニット２００が取り付けられている。
尚、図示する放熱板３１の数、及び照明ユニット２００の数は一例に過ぎない。
【００３５】
次に照明ユニット２００について説明する。
照明ユニット２００は、図３〜図５に示すように、複数のＬＥＤ１５が搭載された光源基板２０と、光源基板２０に設けられた光源基板端子２５とを備えている。また、各ＬＥＤ１５には、それぞれ、光学レンズ１０が取り付けられている。また、光源基板端子２５は、隔壁８０に取り付けられた配線用端子部７０の接続端子（光源収容部５０側の接続端子）に配線９０により電気的に接続されるようになっている。
尚、図示する例では、照明ユニット２００には、６個のＬＥＤ１５が搭載されているが、ＬＥＤ１５の数は適宜設計されるものである。
【００３６】
また、図３に示す例では、光源基板端子２５と、配線用端子部７０の接続端子とがコネクタ９５を介して配線９０で接続されている。このようにコネクタ９５を介することで、照明ユニット２００と配線用端子部７０とをワンタッチで接続でき、照明ユニット２００を交換する際の作業効率を向上させることができる。
【００３７】
次に、照明ユニット２００が取り付けられる放熱板３１について説明する。
放熱板５１は、図５に示すように、放熱ベース３０に取り付けられる平板状の基面部３１ａと、基面部３１ａの一端から所定角度屈曲し延設された平板状の斜面部３１ｂとを有する断面視略への字状に形成されており、照明ユニット２００が斜面部３１ｂに取り付けられている。
尚、図示する例では、斜面部３１ｂは、基面部３１ａに対して「３０度」傾斜しているが、この傾斜角度は一例に過ぎない。傾斜角度は、照明器具３００の設置環境を考慮した上で適宜設計される。例えば、同じ放熱ベース３０に取り付けられる放熱板３１であっても、放熱ベース３０に対する取り付け位置に応じて、傾斜角度が異なっていても良い。
【００３８】
このように、第１実施形態では、発光源となるＬＥＤ１５の寸法が小さいため、光学レンズ１０が取り付けられたＬＥＤ１５を複数搭載した照明ユニット２００と、傾斜している放熱板３１とを組み合わせた構成を採用している。この構成によれば、照明ユニット２００の数、その配置と向き、光学レンズ１０の仕様、放熱板３１の傾斜角度の選定等により、設置環境に対応した所望の照度分布や照射方向を持つ照明器具３００を提供することができる。
尚、第１実施形態では、光源にＬＥＤ１５を用いているため、高効率の光源となり、低消費電力であると共に高寿命であり、且つ環境負荷の軽減が達成される。
【００３９】
次に、ガラス板５１０について説明する。
ガラス板５１０は、その上面に、ガラス板５１０の外周部の形状に沿った環状のパッキン５２０を取り付け、且つ本体部３１０の上端部に形成されたガラス板取付用の切欠部３１０ａ（図３（Ｂ）参照）に、その下面・縁部及び側面を嵌合させた状態で、本体部３１０と共に、第１蓋体部３２０ａの下端部と、隔壁８０の下端部とに固定されている。これにより、本体部３１０に支持されたガラス板５１０と、隔壁８０と、第１蓋体部３２０ａとにより、水密に閉鎖された領域が形成される。
【００４０】
次に、取付部４０に設けられたクランプ４３０及び外部接続用端子６０について説明する。
【００４１】
クランプ４３０は、支柱７００が挿通される中空筒状に形成され、隔壁８０により仕切られた他端側（後方側）の本体部３１０から延設されたクランプ支持部材（図示せず）により、本体部３１０の内部に支持・固定されている。また、クランプ４３０は、その内径寸法が支柱７００の外径寸法より僅かに大きい寸法になっていると共に、その側面を貫通するクランプ用ボルト４３１（図２参照）が設けられている。クランプ４３０に支柱７００を挿入して、クランプ用ボルト４３１を締めることにより、照明器具３００が支柱７００に固定できるようになっている。
【００４２】
また、外部接続用端子６０は、隔壁８０により仕切られた他端側（後方側）の本体部３１０から延設された支持部材（図示せず）により、本体部３１０の内部に支持・固定されている。
また、外部接続用端子６０は、隔壁８０に取り付けられた配線用端子部７０の接続端子（取付部４０側の接続端子）と配線９０により電気的に接続されるようになっている。また、外部接続用端子６０は、支柱７００の内部に設置されたドライバユニット４００と電源ケーブル９２により電気的に接続されるようになっている。
尚、図３に示す例では、外部接続用端子６０と、配線用端子部７０の接続端子とが配線９０で直接接続されているが、図６に示すように、コネクタ９５を介して接続される構成になっていても良い。このように構成すると、配線作業の手間が軽減される。
【００４３】
次に、第２蓋体部３３０ａについて説明する。
図２に示すように、第２蓋体部３３０ａは、取付部４０を構成する本体部３１０の上方の開口を塞ぐ略半椀形状になっており、一端部（後端部）が、本体部３１０の後端部に蝶番３５０を介して連結されている。この構成により、第２蓋体部３３０ａは、蝶番３５０を軸に回転して、取付部４０の上方の開口を開閉できるようになっている。そして、第２蓋体部３３０ａを開くことで、本体部３１０の上方の開口を開放させることができ、この開口を利用して、支柱７００への取付作業や配線作業が行える。また、第２蓋体部３３０ａを閉じると、取付部４０の内部への雨の進入が防止される。
尚、図示する例では、第２蓋体部３３０ａが本体部３１０に蝶番３５０を介して連結されているが、特にこれに限定されるものではない。第２蓋体部３３０ａは、取付部４０の開口を開閉できるように、取付部４０に取り付けられる構成（例えば、第２蓋体部３３０ａが取付部４０に着脱自在に嵌合する構成）であれば、どのような構成でもよい。
【００４４】
次に、照明器具３００を支柱７００に設置する作業手順について説明する。
尚、設置される照明器具３００は、光源収容部５０に収容された照明ユニット２００と、光源収容部５０の隔壁８０に設けられた配線用端子部７０とが配線９０で電気的に接続されている状態に設定されている。また、取付部４０の内部の外部接続用端子６０と、隔壁８０に設けられた配線用端子部７０とが配線９０で電気的に接続されている状態に設定されているものとする。また、光源収容部５０の内部は、防水状態になっている。
【００４５】
具体的には、支柱７００の支柱開閉パネル７５０を開いて、支柱７００の内部にドライバユニット４００を設置すると共に、図示しない電源部に接続された電源ケーブルを支柱７００の内部に挿通し、挿通した電源ケーブルをドライバユニット４００に接続する。
【００４６】
次に、照明器具３００を支柱７００の上端の取付位置まで持って行き、照明器具３００の取付部４０に設けられた第２蓋体部３３０ａを開いて、取付部４０の上方の開口を開放させた状態にする。この状態で、取付部４０に設けられたクランプ４３０の筒内に、支柱７００の上端部を挿入し、クランプ用ボルト４３１を締めて、支柱７００の上端部に、照明器具３００を固定する。
【００４７】
次に、取付部４０の内部に収容されている外部接続用端子６０に電源ケーブル９２を接続し、その電源ケーブル９２を支柱７００の上端から筒内に挿入してドライバユニット４００の位置まで引き出し、当該電源ケーブル９２とドライバユニット４００とを接続する。これにより、図示しない電源部と、ドライバユニット４００と、照明ユニット２００とが電気的に接続される状態になる。
【００４８】
最後に、支柱７００の上端部に固定した照明器具３００の取付部４０の第２蓋体部３３０ａを閉じ、さらに、支柱７００の支柱開閉パネル７５０を閉じて、支柱７００への取付作業が完了する。
【００４９】
このように、第１実施形態の照明器具３００は、上述した特許文献１に記載の発明のように、照明器具全体を開閉する「大きな寸法の蓋体」を設けた構成ではなく、取付部４０の上面の開口だけを開閉する第２蓋体部３３０ａを設けている。そのため、第１実施形態によれば、「高所で大きな寸法の蓋体を開く作業」が発生することがなく、上述した特許文献１に記載の発明と比べて、取付作業や保守作業の手間が軽減されると共に、より安全に作業することができる。また、第１実施形態によれば、光源収容部５０の防水状態を維持したままで、取付部４０の第２蓋体部３３０ａを開いて開放した開口を利用して支柱７００への取付作業や配線作業が行えるため、光源収容部５０の内部にゴミが入ったり、雨が入ったりすることもない。
【００５０】
また、第１実施形態の照明器具３００は、光源収容部５０に収容された照明ユニット２００と、取付部４０に収容された外部接続用端子６０とは、取付部４０と光源収容部５０とを仕切る隔壁８０に設けられた配線用端子部７０を介して電気的に接続できるようになっている。すなわち、第１実施形態は、上述した特許文献２に記載の発明のように、配線自体が光源収容部と取付部とを仕切る隔壁を貫通する構成になっていないため、隔壁に対して配線を水密に貫通させるためのシール部材（配線用の隔壁パッキン）を設ける必要がない。そのため、第１実施形態の構成によれば、光源収容部５０内に収容している照明ユニット２００を修理などで交換するときや、配線の交換や修理するときにおいて、シール部材を交換する必要がなく、特許文献２に記載の発明と比べて、その作業の手間とコストが軽減される。
【００５１】
また、第１実施形態では、ドライバユニット４００が照明器具３００の灯具外である支柱７００内に設置される構成になっているため、軽量でコンパクトな構成の照明器具３００を提供できる。
また、一般的に、ドライバユニット４００の方がＬＥＤ１５よりも寿命が短いため、図１に示すように、支柱７００のなかの地上近くに、ドライバユニット４００を設置することにより、ＬＥＤ１５と比べて修理や交換の頻度が高いドライバユニット４００の修理や交換が容易になる（高所作業が不要になる）。
【００５２】
《第２実施形態》
次に、本発明の第２実施形態の照明器具について図７を参照しながら説明する。
ここで、図７は、本発明の第２実施形態の照明器具を側面から見た概略模式図である。また、第２実施形態は、第１実施形態の構成を変更したものであり、説明の便宜上、第１実施形態と同じ構成や相当する構成については同じ符号を付している。また、第２実施形態の説明では、第１実施形態と同じ構成の説明を省略或いは簡略化すると共に、第２実施形態の特徴となる構成だけ詳細に説明する。
【００５３】
図示するように、第２実施形態の照明器具３００は、取付部４０の上方側ではなく、取付部４０の下方側に作業用の開口（開口部）４５が設けられ、その下方側に開口４５を開閉自在に覆う第２蓋体部３３０ｂが設けられている。
また、第２実施形態では、上面が形成され且つ下面が開口している箱状の第１蓋体３２０ｂが、本体部３１０の上方全体を覆うようになっている。すなわち、第１蓋体３２０ｂの上面が、光源収容部５０及び取付部４０の両者の上面を形成している。
【００５４】
尚、第２実施形態では、第１蓋体部３２０ｂ（取付部４０側の第１蓋体部３２０ｂ）に、外部接続用端子６０が取り付けられている。また、第２実施形態では、クランプ４３０の上端部が、第１蓋体部３２０ｂ（取付部４０側の第１蓋体部３２０ｂ）に固定されている。
また、第２実施形態では、取付部４０の内部に、落下防止用ワイヤ用金具４２が設置されている。この落下防止用ワイヤ用金具４２には、落下防止用ワイヤ（図示せず）の一端部が取り付けられている。尚、落下防止用ワイヤの他端部が支柱７００に固定されている。
【００５５】
また、第１蓋体部３２０ｂは、その上面部の外周縁部から下方向に略直角に折れ曲って延設された側面部が形成されている。そして、隔壁８０により仕切られた他端側（後方側）の本体部３１０に対して、第１蓋体部３２０ｂの側面部が外側から被さる構造になっている。尚、第２実施形態では、以下で説明するように、取付部４０の内部に、ドライバユニット４００を収容するが、一般にドライバユニット４００自体が防水構造になっているため、第２蓋体部３３０ｂは、本体部３１０に対して外部から被さり、取付部４０の開口４５を塞ぐ防雨構造にしている。
【００５６】
尚、第２実施形態では、隔壁８０の前方面（光源収容部５０側に配置される面）の下端・両側部に、ガラス板５１０を固定するための凸部８５が形成されている。そして、ガラス板５１０は、その上面にパッキン５２０（図７では省略）が取り付けられ且つ下面が本体部３１０に支持された状態で、本体部３１０と共に、第１蓋体部３２０ｂの下端部と、隔壁８０の下端に形成された凸部８５とに押し当てられて固定されている。
そして、第２実施形態の構成においても、上述した第１実施形態と同様の作用効果が得られる。
【００５７】
さらに、第２実施形態では、取付部４０の内部に、ドライバユニット４００が収容され設置される構成になっている。そして、ドライバユニット４００は、隔壁８０に取り付けられた配線用端子部７０の接続端子と配線９０により接続されていると共に、外部接続用端子６０と配線９０により接続されている。
尚、第２実施形態では、外部接続用端子６０に、図示しない電源部に接続された電源ケーブル（図７では省略している）を接続することで、ドライバユニット４００及び照明ユニット２００に電力が供給されるようなっている。
【００５８】
このように、ドライバユニット４００を取付部４０の内部に収容したのは、以下の理由による。
具体的には、第２実施形態では、光源にＬＥＤ１５を搭載した照明ユニット（ＬＥＤモジュール）２００を用いている。そして、ドライバユニット４００は、寿命が長いＬＥＤを搭載した照明ユニット２００よりも、交換や修理の頻度が一般的に多い。また、ドライバユニット４００の寸法は、照明ユニット２００の寸法よりも小さく設計することが可能になっている。さらに、ＬＥＤ１５を用いた歩道照明器具では、ガイドラインにより、ドライバユニットを照明器具内に搭載することが推奨されている。
そのため、第２実施形態では、第２蓋体部３３０ｂを取り付けた状態にすることで防雨構造となる取付部４０の内部にドライバユニット４００を設置する構成を採用した。
【００５９】
また、上記構成によれば、地上から１０ｍ程度の高さの支柱７００の先端部に取り付けられる照明器具３００の内部に、ドライバユニット４００が収容されるため、洪水や津波などの水害に有効な対策が施された照明器具３００が提供できる。
【００６０】
尚、図７に示す例では、ドライバユニット４００は、外部接続用端子６０に対して、直接、配線９０で接続されているが、コネクタ９５を介して、外部接続用端子６０に接続するようにしても良い。また、ドライバユニット４００は、配線用端子部７０に対して、直接、配線９０で接続されているが、コネクタ９５を介して、配線用端子部７０に接続するようにしても良い。このように、コネクタ９５を設けることでドライバユニット４００の交換が容易になる。
【００６１】
《第３実施形態》
次に、本発明の第３実施形態の照明器具について図８を参照しながら説明する。
ここで、図８は、本発明の第３実施形態の照明器具を側面から見た概略模式図である。また、第３実施形態は、第１実施形態の構成を変更したものであり、説明の便宜上、第１実施形態と同じ構成や相当する構成については同じ符号を付している。また、第３実施形態の説明では、第１実施形態と同じ構成の説明を省略或いは簡略化すると共に、第３実施形態の特徴となる構成だけ詳細に説明する。
【００６２】
第３実施形態では、取付部４０が、上下両面が開口している中空箱状に形成された本体部（取付部本体部）３４０と、本体部３４０の内部に取り付けられたクランプ４３０と、本体部３４０の上面の開口４５を開閉自在に塞ぐ第２蓋体部３３０ｃとにより構成されている。また、上記の第２蓋体部３３０ｃは、光源収容部５０と一体形成され（一体筐体になっており）、その内側・上面部に外部接続用端子６０が取り付けられている。
【００６３】
また、第２蓋体部３３０ｃと一体形成された光源収容部５０の下端部が、取付部４０の本体部３４０の前方側・上端部に蝶番３５０を介して連結されている。この構成により、蝶番３５０を軸にして、第２蓋体部３３０ｃが光源収容部５０と共に回転して、取付部４０の本体部３４０の上面の開口４５を開閉できるように構成されている。
また、第２蓋体部３３０ｃは、その上面部の外周縁部から下方向に略直角に折れ曲って延設された側面部が形成されている。そして、第２蓋体部３３０ｃは、本体部３４０の開口４５を閉じた状態にしたときに、前記側面部が、本体部３４０の上端部側の側面に外側から被さる構造（防雨構造）になっている。この構造により、パッキンを取付けなくても、取付部４０の内部に雨が入りこむことを防止することができる。
【００６４】
また、光源収容部５０は、下面が開口した略椀状の第１蓋体部３２０ｃと、第１蓋体部３２０ｃの内部に収容された照明ユニット２００と、第１蓋体部３２０の下面の開口を水密に塞ぐガラス板５１０と、ガラス板５１０を支持し且つ第１蓋体部３２０の下端部に取り付けられる枠状の本体部３１０とを備えている。
尚、照明ユニット２００は、第１実施形態と同様、第１蓋体部３２０ｃの内側・上面部から立設する支持部３２１に装着された放熱板ベース３０の上に、放熱板３１を介して取り付けられている。
【００６５】
また、ガラス板５１０は、その上面にパッキン５２０を取り付けた状態で、第１蓋体部３２０ｃと本体部３１０とにより挟持され、ガラス板５１０と、第１蓋体部３２０ｃとにより、水密に閉鎖された領域（空隙）が形成されるようになっている。
【００６６】
また、上記の第１蓋体部３２０ｃは、その後方側面が隔壁８０になっていると共に、後端部から第２蓋体部３３０ｃが延設している。
また、隔壁８０には、第１実施形態と同様、防水構造の配線用端子部７０が設けられており、配線用端子部７０を介して、光源収容部５０と取付部４０とが電気的に配線されている。
また、隔壁８０の一端（下端）には、当該一端から下方に延びる蝶番支持部８１が設けられており、この蝶番支持部８１が蝶番３５０を介して、取付部４０を構成する本体部３４０の前方側・上端部に連結されている。
【００６７】
この構成により、作業者が光源収容部５０の先端部等を持って下方に向けて押し下げると、蝶番３５０を軸にして、光源収容部５０と共に第２蓋体部３３０ｃが回転して（時計回りに回転して）、取付部４０を構成する本体部３４０の上面の開口４５が開放される。このときに、光源収容部５０の防水構造が維持されたままになっているため、第３実施形態においても、第１実施形態と同様の作用効果が得られる。
【００６８】
尚、照明器具３００のうちの一体となっている「第２蓋体部３３０ｃ及び光源収容部５０」は、図示しないラッチ部材を介して、取付部４０を構成する本体部３４０に固定されるようになっている。そして、光源収容部５０と共に第２蓋体部３３０ｃを回転させて、取付部４０の上面の開口４５が開放させた状態から元の状態に戻すときには、光源収容部５０の先端部等を上方に向けて押し上げ、光源収容部５０と共に第２蓋体部３３０ｃを回転させて（半時計回りに回転させて）、取付部４０の上面の開口４５が閉鎖させた状態にして、上記のラッチ部材を介して本体部３４０に固定する。
【００６９】
さらに、第３実施形態では、ドライバユニット４００が光源収容部５０の内部に収容されている。
【００７０】
具体的には、ドライバユニット４００は、第１蓋体部３２０ｃの内側・上面部と、当該上面部から立設する支持部３２１と、支持部３２１の先端部に取り付けられた放熱板ベース３０とにより形成された領域（隙間部）に挿入・設置されている。尚、ドライバユニット４００は、照明ユニット２００及び配線用端子部７０の両者に、それぞれ、配線９０により接続され、照明ユニット２００及び配線用端子部７０と電気的に接続されるようになっている。
このように、第３実施形態では、上述した第２実施形態と同様、地上から１０ｍ程度の高さの支柱７００の先端部に取り付けられる照明器具３００の内部に、ドライバユニット４００が収容されるため、洪水や津波などの水害に有効な対策が施された照明器具３００が提供できる。
【００７１】
《第４実施形態》
次に、本発明の第４実施形態の照明器具について図９を参照しながら説明する。
ここで、図９は、本発明の第４実施形態の照明器具を側面から見た概略模式図である。また、第４実施形態は、第１実施形態の構成を変更したものであり、説明の便宜上、第１実施形態と同じ構成や相当する構成については同じ符号を付している。また、第４実施形態の説明では、第１実施形態と同じ構成の説明を省略或いは簡略化すると共に、第４実施形態の特徴となる構成だけ詳細に説明する。
【００７２】
第４実施形態の照明器具３００は、取付部４０に対して光源収容部５０が着脱自在に取り付けられるようになっている。
【００７３】
具体的には、第４実施形態の取付部４０は、上下両端に開口が形成されている中空箱状の一側面が切り欠かれた断面視略コの字状の本体部３４０と、本体部３４０の内部に取り付けられたクランプ４３０と、本体部３４０の上面の開口４５を開閉自在に塞ぐ第２蓋体部３３０ｄとにより構成されている。上記の第２蓋体部３３０ｄは、その後端部が、本体部３４０の後端側・上端部に蝶番３５０を介して連結されており、蝶番３５０を軸に回転して、本体部３４０の上面の開口４５を開閉できるようになっている。また、第２蓋体部３３０ｄは、前端・下面部に段差部３３０ｄ１が形成されている。
【００７４】
また、光源収容部５０は、取付部４０と相対向する部分に、取付部４０と嵌合する嵌合部が設けられ、取付部４０に対して着脱自在に嵌合して固定できる構成になっている。尚、光源収容部５０は、取付部４０に嵌合させた上で、図示しないボルト等の固定手段により、取付部４０に固定できるようになっている。
【００７５】
また、光源収容部５０は、下面が開口した略椀状の第１蓋体部３２０ｄと、第１蓋体部３２０ｄの内部に収容された照明ユニット２００と、第１蓋体部３２０ｄの下面の開口を水密に塞ぐガラス板５１０と、ガラス板５１０を支持し且つ第１蓋体部３２０の下端部に取り付けられる枠状の本体部３１０とを備えている。
また、第１蓋体部３２０ｄは、その後端部に、第２蓋体部３３０ｄの前端部に形成された段差部３３０ｄ１と着脱自在に嵌合する凸部が形成されている。
【００７６】
また、第４実施形態では、第１蓋体部３２０ｄの後方側面が隔壁８０になっており、この隔壁８０には、第１実施形態と同様、防水構造の配線用端子部７０が設けられており、配線用端子部７０を介して、光源収容部５０と取付部４０とが電気的に配線されている。
また、隔壁８０の一端（下端）には、当該下端から下方に延びる隔壁延長部８２が設けられており、この隔壁延長部８２が、取付部４０の本体部３４０の側面側の端部に着脱自在に嵌合するようになっている。
【００７７】
この構成によれば、取付部４０を構成する第２蓋体部３３０ｄを開くことで、光源収容部５０の防水状態を維持したままで、取付部４０の上方の開口４５が開放され、この開口４５を用いて支柱７００への取付作業や配線作業を行うことができる。すなわち、第４実施形態においても、第１実施形態と同様の作用効果が得られる。
また、上記の構成によれば、取付部４０から光源収容部５０を取り外せる構成になっているため、光源部を構成する照明ユニット２００等の電気部品の検査や修理を行う場合に、光源収容部５０自体を交換すれば良く、修理中に照明器具３００が利用できなくなる時間を短縮することができる。
【００７８】
また、第４実施形態においても、取付部４０の上部側が防雨構造になっている。具体的には、第２蓋体部３３０ｄは、その前端部以外の上面部の外周縁部から下方向に略直角に折れ曲って延設された側面部が形成されている。そして、本体部３４０の開口４５を閉じた状態にしたときに、前記側面部が、本体部３４０の上端部側の側面に外側から被さる構造（防雨構造）になっている。尚、蝶番３５０は、本体部３４０の後端側の上端部の外側部に取り付けられている。
この構造により、パッキンを取付けなくても、取付部４０の内部に雨が入りこむことを防止することができる。
【００７９】
《第５実施形態》
次に、本発明の第５実施形態の照明器具について図１０を参照しながら説明する。
ここで、図１０は、本発明の第５実施形態の照明器具を側面から見た概略模式図である。また、第５実施形態は、第１実施形態の構成を変更したものであり、説明の便宜上、第１実施形態と同じ構成や相当する構成については同じ符号を付している。また、第５実施形態の説明では、第１実施形態と同じ構成の説明を省略或いは簡略化すると共に、第５実施形態の特徴となる構成だけ詳細に説明する。
【００８０】
第５実施形態の照明器具３００は、上述した第４実施形態と同様、取付部４０に対して、防水構造の光源収容部５０が着脱自在に取り付けられている。また、第５実施形態の照明器具３００は、配線用端子部７０が設けられた隔壁８０が、光源収容部５０の一端部側の上端面に形成されている。
【００８１】
具体的には、第５実施形態の取付部４０は、上下両端に開口が形成されている中空箱状に形成された本体部（取付部本体部）３４５と、本体部３４５の内部に取り付けられたクランプ４３０と、本体部３４５の内部に収容された外部接続用端子６０（図中では省略）と、本体部３４５の上面の開口４５を開閉自在に塞ぐ第２蓋体部３３０ｅとにより構成されている。
尚、クランプ４３０は、本体部３４５の上端部に取り付けられたクランプ固定板９２０を介して、本体部４５の内部に支持・固定されている。また、第５実施形態においても、取付部４０の上部側が防雨構造になっている。
【００８２】
第２蓋体部３３０ｅは、上面が閉鎖され下面が開口された箱状に形成されており、その後端部が、本体部３４５の後端側・上端部に蝶番３５０を介して連結され、蝶番３５０を軸に回転して、本体部３４５の上面の開口４５を開閉できるようになっている。
また、第２蓋体部３３０ｅは、前後方向の長さ寸法が、本体部３４５の前後方向の長さ寸法よりも大きく形成されている。そして、光源収容部５０が取付部４０に取り付けられている状態において、第２蓋体部３３０ｅを閉じて本体部３４５の上面の開口４５を覆うと、第２蓋体部３３０ｅは、覆っている開口４５と共に、光源収容部５０の一端部側の上端面に形成された隔壁８０を覆うようになっている。
【００８３】
また、第５実施形態の光源収容部５０は、上面が閉鎖され下面が開口した箱状の第１蓋体部３２０ｅと、第１蓋体部３２０ｅの内部に収容された照明ユニット２００と、第１蓋体部３２０ｅ下面の開口を水密に塞ぐガラス板５１０と、ガラス板５１０を支持し且つ第１蓋体部３２０の下端部に取り付けられる枠状の本体部３１０とを備えている。
また、第１蓋体部３２０ｅは、その後端部側の上端面に隔壁８０が形成され、この隔壁８０に防水構造の配線用端子部７０が設けられており、この配線用端子部７０を介して、光源収容部５０と取付部４０とが電気的に配線されている。尚、図中では、配線用端子部７０と照明ユニット２００とを接続する配線９０、及び、配線用端子部７０と外部接続用端子６０（図示せず）とを接続する配線９０を省略している。
【００８４】
そして、光源収容部５０を構成する第１蓋体部３２０ｅの後端部と、取付部４０を構成する本体部３４５の前端部とが、ボルト及びナット等で構成される固定手段９００により着脱自在に連結され固定できるように構成されている。
尚、第１蓋体部３２０ｅの後端部と、本体部３４５の前端部との間には、パッキン９１０が挟持されている。
【００８５】
このように、第５実施形態によれば、取付部４０を構成する第２蓋体部３３０ｅを開くことで、光源収容部５０の防水状態を維持したままで、取付部４０の上方の開口４５が開放され、この開口４５を用いて支柱７００への取付作業や配線作業を行うことができる。すなわち、第５実施形態においても、第１実施形態と同様の作用効果が得られる。
また、第５実施形態は、取付部４０から光源収容部５０を取り外せる構成になっているため、上述した第４実施形態と同様の作用効果が得られる。
【００８６】
以上、本発明の実施形態（第１〜第５実施形態）について説明したが、本発明は、この実施形態に限定されるものではなく、その要旨の範囲内において種々の変更が可能である。
【００８７】
例えば、上述した実施形態では、光源となる照明ユニット２００にＬＥＤ１５を搭載したものを用いているが、特にこれに限定されるものではない。光源は、図示しない電源部から供給される電力により発光できるものであれば、ＬＥＤ１５以外のものであっても、本発明に適用される。
【００８８】
また、上述した実施形態では、照明器具３００が道路灯に用いられる場合を例にして説明したが、同様の構成を備えるものであれば、本発明の照明器具は、道路灯以外の照明器具にも適用可能である。
【００８９】
また、第１実施形態において、光源収容部５０に、その内部を露出させることできる構成を設けるようにしてもよい（例えば、第１蓋体部３２０ａに作業用の開閉窓部を設けたりしてもよい）。このようにすれば、照明ユニット２００がコネクタを介して接続されているため、支柱７００から照明器具３００を下ろさずに、照明ユニット２００の修理や交換が可能になる。
【００９０】
また、上述した実施形態では、取付部４０が防雨構造に構成されている例を示したが、特にこれに限定されるものではない。取付部４０が、光源収容部５０と同様、防水構造に構成されていてもよい。
【符号の説明】
【００９１】
１０…光学レンズ
１５…ＬＥＤ
２０…光源基板
２５…光源基板端子
３０…放熱板ベース
３１…放熱板
４０…取付部
４２…落下防止ワイヤ用金具
４５…開口（開口部）
５０…光源収容部
６０…外部接続用端子
７０…配線用端子部
８０…隔壁
８１…蝶番支持部
８２…隔壁延長部
８５…凸部
９０…配線
９２…電源ケーブル
９５…コネクタ
２００…照明ユニット
３００…照明器具
３１０…本体部（照明器具本体部）
３２０ａ、３２０ｂ、３２０ｃ、３２０ｄ、３２０ｅ…第１蓋体部
３３０ａ、３３０ｂ、３３０ｃ、３３０ｄ、３３０ｅ…第２蓋体部
３４０、３４５…本体部（取付部本体部）
３５０…蝶番
４００…ドライバユニット
４３０…クランプ
４３１…クランプ用ボルト
５１０…透明ガラス板
５２０…パッキン
７００…支柱
７５０…支柱開閉パネル
８００…照射面
９００…固定手段
９１０…パッキン
９２０…クランプ固定板
【図１】
2017183260.tif 000003
【図２】
2017183260.tif 000004
【図３】
2017183260.tif 000005
【図４】
2017183260.tif 000006
【図５】
2017183260.tif 000007
【図６】
2017183260.tif 000008
【図７】
2017183260.tif 000009
【図８】
2017183260.tif 000010
【図９】
2017183260.tif 000011
【図１０】
2017183260.tif 000012